(57)【要約】【課題】  ユーザに対してより積極的なＳＮＳ投稿を促すことができ、また、高い広告効果を期待することのできる、ＳＮＳ投稿を利用した広告システムを提供すること。【解決手段】  広告依頼管理サーバ装置１と、１又は複数の広告依頼者端末装置と、ユーザの利用する１又は複数のユーザ端末装置と、がネットワークを介して通信可能に構成される広告システムであって、広告依頼管理サーバ装置１が、広告依頼者端末装置からの広告依頼を受け付ける広告依頼受付手段１０１と、広告依頼をユーザ端末装置へと開示する広告依頼開示手段１０２と、広告依頼に基づいたユーザ端末装置によるＳＮＳ投稿を収集し、広告実績として確認する広告実績確認手段１０３と、広告実績に基づいて、ユーザに対して報酬を付与する報酬付与手段１０４と、を備えることを特徴とする。【選択図】図２
2018195026.tif 000002
【特許請求の範囲】
【請求項１】
広告依頼管理サーバ装置と、１又は複数の広告依頼者端末装置と、ユーザの利用する１又は複数のユーザ端末装置と、がネットワークを介して通信可能に構成される広告システムであって、
前記広告依頼管理サーバ装置が、前記広告依頼者端末装置からの広告依頼を受け付ける広告依頼受付手段と、
前記広告依頼を前記ユーザ端末装置へと開示する広告依頼開示手段と、
前記広告依頼に基づいた前記ユーザ端末装置によるＳＮＳ投稿を収集し、広告実績として確認する広告実績確認手段と、
前記広告実績に基づいて、前記ユーザに対して報酬を付与する報酬付与手段と、を備えることを特徴とする、広告システム。
【請求項２】
前記広告依頼が、前記ＳＮＳ投稿に含める識別情報の指定を含み、
前記広告実績確認手段が、前記ＳＮＳ投稿に前記識別情報が含まれるか否かの確認を行う識別情報確認手段を有し、前記識別情報が含まれる投稿を前記広告実績として確認することを特徴とする、請求項１に記載の広告システム。
【請求項３】
前記広告依頼が、前記ＳＮＳ投稿に含める語句及び／又は文章の指定を含み、
前記広告実績確認手段が、前記ＳＮＳ投稿に前記語句及び／又は前記文章が含まれるか否かの確認を行うキーワード確認手段を有し、
前記報酬付与手段が、前記ＳＮＳ投稿に前記語句及び／又は前記文章が含まれる場合に前記ユーザに対して前記報酬を付与することを特徴とする、請求項１又は請求項２に記載の広告システム。
【請求項４】
前記広告依頼が、前記ＳＮＳ投稿に含める画像情報の指定を含み、
前記広告実績確認手段が、前記ＳＮＳ投稿に前記画像情報が含まれるか否かの確認を行う投稿画像確認手段を有し、
前記報酬付与手段が、前記ＳＮＳ投稿に前記画像情報が含まれる場合に前記ユーザに対して前記報酬を付与することを特徴とする、請求項１から請求項３の何れかに記載の広告システム。
【請求項５】
前記投稿画像確認手段が、機械学習に基づいて、前記ＳＮＳ投稿に含まれる前記画像情報が、前記広告依頼に含まれる前記画像情報の指定に対応するものであるか否かの判定を行うことを特徴とする、請求項４に記載の広告システム。
【請求項６】
前記投稿画像確認手段が、複数のユーザによる前記ＳＮＳ投稿に含まれる前記画像情報の一致度の判定を行い、所定以上の一致度を有する前記画像情報が含まれる前記ＳＮＳ投稿について、前記広告実績としないことを特徴とする、請求項４又は請求項５に記載の広告システム。
【請求項７】
前記投稿画像確認手段が、前記ＳＮＳ投稿に含まれる前記画像情報にモアレが含まれるか否かの判定を行い、モアレが含まれる前記画像情報が含まれる前記ＳＮＳ投稿について、前記広告実績としないことを特徴とする、請求項４から請求項６の何れかに記載の広告システム。
【請求項８】
前記広告依頼に、前記ＳＮＳ投稿に含める部分画像情報を含み、
前記広告実績確認手段が、前記ＳＮＳ投稿に含まれる画像情報が前記部分画像情報を含む場合に、前記ＳＮＳ投稿を前記広告実績として判定することを特徴とする、請求項４から請求項７の何れかに記載の広告システム。
【請求項９】
前記広告依頼が、当該広告依頼を特定するためのマーカ情報を含み、
前記ユーザ端末装置により前記マーカ情報が撮影された場合に、前記広告依頼開示手段による前記ユーザ端末装置への前記広告依頼の開示が行われることを特徴とする、請求項１から請求項８の何れかに記載の広告システム。
【請求項１０】
１又は複数の広告依頼者端末装置及びユーザの利用する１又は複数のユーザ端末装置とネットワークを介して通信可能に構成される広告依頼管理サーバ装置であって、
前記広告依頼者端末装置からの広告依頼を受け付ける広告依頼受付手段と、
前記広告依頼を前記ユーザ端末装置へと開示する広告依頼開示手段と、
前記広告依頼に基づいた前記ユーザ端末装置によるＳＮＳ投稿を収集し、広告実績として確認する広告実績確認手段と、
前記広告実績に基づいて、前記ユーザに対して報酬を付与する報酬付与手段と、を備えることを特徴とする、広告依頼管理サーバ装置。
【請求項１１】
１又は複数の広告依頼者端末装置及びユーザの利用する１又は複数のユーザ端末装置とネットワークを介して通信可能に構成される広告依頼管理サーバ装置による広告方法であって、
前記広告依頼者端末装置からの広告依頼を受け付ける広告依頼受付ステップと、
前記広告依頼を前記ユーザ端末装置へと開示する広告依頼開示ステップと、
前記広告依頼に基づいた前記ユーザ端末装置によるＳＮＳ投稿を収集し、広告実績として確認する広告実績確認ステップと、
前記広告実績に基づいて、前記ユーザに対して報酬を付与する報酬付与ステップと、を備えることを特徴とする、広告方法。
【発明の詳細な説明】
【技術分野】
【０００１】
本発明は、ユーザによるＳＮＳ投稿を利用した広告を管理する、広告システムに関する。
【背景技術】
【０００２】
従来、インターネットを利用した広告が行われている。一般的な広告方法としては、Ｗｅｂサイト内のページへ広告が掲載され、そのページの閲覧や、広告のクリックなどの実績に基づいて、広告の依頼者から、Ｗｅｂサイトの公開者に対して報酬が支払われる、といった方法が挙げられる。
【０００３】
また、昨今では、ＳＮＳ（Ｓｏｃｉａｌ  Ｎｅｔｗｏｒｋｉｎｇ  Ｓｅｒｖｉｃｅ）が多くのユーザに利用されていることから、これを利用した広告も行われている。先に挙げたようなＷｅｂサイトへの掲載と同様、ＳＮＳの運営者に対して広告の依頼者から報酬が支払われる形態の他、ユーザ間での波及効果を期待したものも存在する。
【０００４】
例えば、特許文献１には、Ｗｅｂページなどへの掲載によってユーザに提供される広告に、ＳＮＳでそれを共有するためのボタン等を含めておき、共有が行われた場合に、ユーザに対してクーポンなどを提供するシステムが記載されている。
【先行技術文献】
【特許文献】
【０００５】
【特許文献１】特表２０１５−５０１０３５号公報
【発明の概要】
【発明が解決しようとする課題】
【０００６】
特許文献１に記載のシステムによれば、広告内容を含むＳＮＳ投稿により、投稿を行ったユーザとＳＮＳ上での繋がりのある他のユーザへの広告効果が期待できる。しかし、システムを利用してのＳＮＳ投稿となるために、形式的な内容になってしまいやすいという問題がある。そもそも、ＳＮＳ投稿によるユーザ間での広告効果は、いわゆる口コミのような効果を期待するものである。してみれば、広告内容を含む投稿が形式的になってしまうことは、広告効果を著しく損ねることになりかねない。
【０００７】
また、特許文献１に記載のシステムでは、Ｗｅｂページなどへ掲載された広告を起点として、それを閲覧したユーザへとＳＮＳ投稿を求めるものである。そのため、そもそもユーザに対して適切な広告が表示されなければ、ユーザはＳＮＳ投稿による広告を行わない可能性が高いという問題もある。
【０００８】
そこで、本発明では、ユーザに対してより積極的なＳＮＳ投稿を促すことができ、また、高い広告効果を期待することのできる、ＳＮＳ投稿を利用した広告システムを提供することを課題とする。
【課題を解決するための手段】
【０００９】
上記課題を解決するために、本発明に係る広告システムは、
広告依頼管理サーバ装置と、１又は複数の広告依頼者端末装置と、ユーザの利用する１又は複数のユーザ端末装置と、がネットワークを介して通信可能に構成される広告システムであって、
前記広告依頼管理サーバ装置が、前記広告依頼者端末装置からの広告依頼を受け付ける広告依頼受付手段と、
前記広告依頼を前記ユーザ端末装置へと開示する広告依頼開示手段と、
前記広告依頼に基づいた前記ユーザ端末装置によるＳＮＳ投稿を収集し、広告実績として確認する広告実績確認手段と、
前記広告実績に基づいて、前記ユーザに対して報酬を付与する報酬付与手段と、を備えることを特徴とする。
【００１０】
このように、広告依頼者による広告依頼をユーザに開示し、それに対してユーザが行ったＳＮＳ投稿を広告実績として確認する構成とすることにより、ユーザは広告依頼の中から広告する対象を自由に選ぶことができ、より積極的に広告を行うことが期待できる。
【００１１】
本発明の好ましい形態では、前記広告依頼が、前記ＳＮＳ投稿に含める識別情報の指定を含み、
前記広告実績確認手段が、前記ＳＮＳ投稿に前記識別情報が含まれるか否かの確認を行う識別情報確認手段を有し、前記識別情報が含まれる投稿を前記広告実績として確認することを特徴とする。
このように、識別情報を指定して広告依頼を行い、それに基づいて広告実績を確認することにより、簡単かつ確実に広告実績を確認できる。
【００１２】
本発明の好ましい形態では、前記広告依頼が、前記ＳＮＳ投稿に含める語句及び／又は文章の指定を含み、
前記広告実績確認手段が、前記ＳＮＳ投稿に前記語句及び／又は前記文章が含まれるか否かの確認を行うキーワード確認手段を有し、
前記報酬付与手段が、前記ＳＮＳ投稿に前記語句及び／又は前記文章が含まれる場合に前記ユーザに対して前記報酬を付与することを特徴とする。
このように、広告依頼にＳＮＳ投稿に含める語句や文章の指定を行う構成とすることにより、ＳＮＳ投稿による広告効果をより確実に得ることができる。
【００１３】
本発明の好ましい形態では、前記広告依頼が、前記ＳＮＳ投稿に含める画像情報の指定を含み、
前記広告実績確認手段が、前記ＳＮＳ投稿に前記画像情報が含まれるか否かの確認を行う投稿画像確認手段を有し、
前記報酬付与手段が、前記ＳＮＳ投稿に前記画像情報が含まれる場合に前記ユーザに対して前記報酬を付与することを特徴とする。
このように、広告依頼に画像を含めることにより、ＳＮＳ投稿による広告効果の向上が期待できる。
【００１４】
本発明の好ましい形態では、前記投稿画像確認手段が、機械学習に基づいて、前記ＳＮＳ投稿に含まれる前記画像情報が、前記広告依頼に含まれる前記画像情報の指定に対応するものであるか否かの判定を行うことを特徴とする。
このように、機械学習に基づいて画像情報の判定を行うことにより、広告依頼者の指定した画像がＳＮＳ投稿に含まれるかを効率的に判定することができる。
【００１５】
本発明の好ましい形態では、前記投稿画像確認手段が、複数のユーザによる前記ＳＮＳ投稿に含まれる前記画像情報の一致度の判定を行い、所定以上の一致度を有する前記画像情報が含まれる前記ＳＮＳ投稿について、前記広告実績としないことを特徴とする。
このように、画像の一致度の判定を行うことで、他のユーザがＳＮＳに投降した画像を流用した不正なＳＮＳ投稿を判別することができる。
【００１６】
本発明の好ましい形態では、前記投稿画像確認手段が、前記ＳＮＳ投稿に含まれる前記画像情報にモアレが含まれるか否かの判定を行い、モアレが含まれる前記画像情報が含まれる前記ＳＮＳ投稿について、前記広告実績としないことを特徴とする。
このように、画像にモアレが含まれるか否かの確認を行うことにより、液晶画面に表示された内容や印刷物の内容などを撮影した画像を用いた不正なＳＮＳ投稿を判別することができる。
【００１７】
本発明の好ましい形態では、前記広告依頼に、前記ＳＮＳ投稿に含める部分画像情報を含み、
前記広告実績確認手段が、前記ＳＮＳ投稿に含まれる画像情報が前記部分画像情報を含む場合に、前記ＳＮＳ投稿を前記広告実績として判定することを特徴とする。
このように、ＳＮＳ投稿に含める画像のパーツの指定を受けることで、広告実績の確認や広告効果をより確実にすることができる。
【００１８】
本発明の好ましい形態では、前記広告依頼が、当該広告依頼を特定するためのマーカ情報を含み、
前記ユーザ端末装置により前記マーカ情報が撮影された場合に、前記広告依頼開示手段による前記ユーザ端末装置への前記広告依頼の開示が行われることを特徴とする。
これにより、商品などに二次元コードを付与し、商品の購入を行ったユーザのＳＮＳ投稿を促すことや、店舗に二次元コードを設置し、来店したユーザによるＳＮＳ投稿を促すなど、より高い広告効果が期待できるようなＳＮＳ投稿を促すことができる。
【００１９】
本発明に係る広告依頼管理サーバ装置は、
１又は複数の広告依頼者端末装置及びユーザの利用する１又は複数のユーザ端末装置とネットワークを介して通信可能に構成される広告依頼管理サーバ装置であって、
前記広告依頼者端末装置からの広告依頼を受け付ける広告依頼受付手段と、
前記広告依頼を前記ユーザ端末装置へと開示する広告依頼開示手段と、
前記広告依頼に基づいた前記ユーザ端末装置によるＳＮＳ投稿を収集し、広告実績として確認する広告実績確認手段と、
前記広告実績に基づいて、前記ユーザに対して報酬を付与する報酬付与手段と、を備えることを特徴とする。
【００２０】
本発明に係る広告方法は、
１又は複数の広告依頼者端末装置及びユーザの利用する１又は複数のユーザ端末装置とネットワークを介して通信可能に構成される広告依頼管理サーバ装置による広告方法であって、
前記広告依頼者端末装置からの広告依頼を受け付ける広告依頼受付ステップと、
前記広告依頼を前記ユーザ端末装置へと開示する広告依頼開示ステップと、
前記広告依頼に基づいた前記ユーザ端末装置によるＳＮＳ投稿を収集し、広告実績として確認する広告実績確認ステップと、
前記広告実績に基づいて、前記ユーザに対して報酬を付与する報酬付与ステップと、を備えることを特徴とする。
【発明の効果】
【００２１】
ユーザが広告内容を含むＳＮＳ投稿を積極的に行うことを促すことができ、また、高い広告効果を期待することのできる、ＳＮＳ投稿を利用した広告システムを提供することができる
【図面の簡単な説明】
【００２２】
【図１】本発明の一実施形態に係る広告システムの構成図である。
【図２】本発明の一実施形態に係る広告管理サーバ装置の機能ブロック図である。
【図３】本発明の一実施形態における広告依頼の受付処理の流れを示すフローチャートである。
【図４】本発明の一実施形態における広告依頼への対応に係る処理の流れを示すフローチャートである。
【図５】本発明の一実施形態におけるＳＮＳ投稿に係る処理の流れを示すフローチャートである。
【図６】本発明の一実施形態における広告実績の確認処理の流れを示すフローチャートである。
【図７】本発明の一実施形態における広告依頼の一覧表示画面の一例を示す図である。
【図８】本発明の一実施形態における広告依頼の詳細表示画面の一例を示す図である。
【図９】本発明の一実施形態におけるＳＮＳ投稿用画像の作成画面の一例を示す図である。
【図１０】本発明の一実施形態におけるＳＮＳ投稿画面の一例を示す図である。
【発明を実施するための形態】
【００２３】
以下、本発明の一実施形態について、図面を参照して詳細に説明する。図１は、本実施形態に係る広告システムの構成図である。ここに示すように、本実施形態に係る広告システムは、広告依頼管理サーバ装置１と、２ａ〜２ｃまでの複数のＳＮＳ提供サーバ装置２（以下、特に区別の必要がない場合には、単にＳＮＳ提供サーバ装置２と呼称する）と、広告依頼者の利用する３ａ〜３ｃまでの複数の広告依頼者端末装置３（以下、特に区別の必要がない場合には、単に広告依頼者端末装置３と呼称する）と、ユーザの利用する４ａ〜４ｃまでの複数のユーザ端末装置４（以下、特に区別の必要がない場合には、単にユーザ端末装置４と呼称する）と、がネットワークＮＷを介して通信可能に構成される。
【００２４】
図２に、本実施形態に係る広告依頼管理サーバ装置１の機能ブロック図を示す。ここに示すように、広告依頼管理サーバ装置１は、広告依頼者端末装置３からの広告依頼を受け付ける広告依頼受付手段１０１と、広告依頼をユーザ端末装置４へと開示する広告依頼開示手段１０２と、ユーザ端末装置４によるＳＮＳ投稿より広告実績を確認する広告実績確認手段１０３と、広告実績確認手段１０３によって広告実績が確認された場合に、ユーザに対して報酬の付与を行う報酬付与手段１０４と、広告依頼に関する情報を記憶する広告依頼情報記憶部１０５と、ユーザに関する情報を記憶するユーザ情報記憶部１０６と、を備える。なお、ユーザ情報記憶部１０６には、ユーザがそれぞれのＳＮＳ提供サーバ装置２によって提供されるＳＮＳにおいて利用するアカウント名などの情報や、ユーザが対応した広告依頼などの情報が含まれる。
【００２５】
広告実績確認手段１０３は、ＳＮＳ投稿が広告実績としての要件を満たすか否かを判定するための手段として、ＳＮＳ投稿に広告依頼で指定された識別情報が含まれるか否かの判定を行う識別情報確認手段１０３１と、ＳＮＳ投稿に広告依頼で指定された画像が添付されているか否かの判定を行う投稿画像確認手段１０３２と、ＳＮＳ投稿の内容に広告依頼で指定されたキーワードが含まれるか否かを判定するキーワード確認手段１０３３と、を有する。
【００２６】
広告依頼管理サーバ装置１としては、ＣＰＵ（Ｃｅｎｔｒａｌ  Ｐｒｏｃｅｓｓｉｎｇ  Ｕｎｉｔ）等の演算装置、ＲＡＭ（Ｒａｎｄｏｍ  Ａｃｃｅｓｓ  Ｍｅｍｏｒｙ）等の主記憶装置、ＨＤＤ（Ｈａｒｄ  Ｄｉｓｃ  Ｄｒｉｖｅ）やＳＳＤ（Ｓｏｌｉｄ  Ｓｔａｔｅ  Ｄｒｉｖｅ）等の補助記憶装置、ネットワークＮＷとの接続手段を含む種々の入出力装置などを備える、一般的なコンピュータ装置を利用することができる。より詳細には、コンピュータ装置の備える補助記憶装置に、予め、あるいは、広告依頼管理サーバ装置１の管理者などの操作によって、コンピュータ装置を上述したような各手段として動作させるためのプログラムを記録しておき、それを主記憶装置上に展開して、演算装置によって、入出力装置の制御などの各種処理を行うことによって実現できる。
【００２７】
ＳＮＳ提供サーバ装置２は、それぞれがＳＮＳの提供を行うサーバ装置である。これらのＳＮＳ提供サーバ装置２は、広告依頼管理サーバ装置１と同一の管理者によって管理されるものであってもよいが、その他の企業などによって管理される、一般的なＳＮＳであってよい。ＳＮＳとして、例えば、Ｔｗｉｔｔｅｒ（登録商標）やｆａｃｅｂｏｏｋ（登録商標）、Ｉｎｓｔａｇｒａｍ（登録商標）などが挙げられる。なお、ここでは、説明の簡単のためにそれぞれのＳＮＳ提供サーバ装置２を単一のサーバ装置として図示しているが、実際には、多数のサーバ装置などの機器によって、それぞれのＳＮＳが提供される場合が多い。
【００２８】
広告依頼者端末装置３としては、ＣＰＵ等の演算装置、ＲＡＭ等の主記憶装置、ＨＤＤやＳＳＤ等の補助記憶装置、ネットワークＮＷとの接続手段や画面表示手段、キーボードやマウス、タッチパネルといった種々の入出力装置などを備える、一般的なコンピュータ装置を利用することができる。例えば、パーソナルコンピュータ装置やタブレット型端末、スマートフォンなどを好適に用いることができる。なお、後述するような広告依頼者の操作による広告依頼者端末装置３を用いた各種の処理について、広告依頼者端末装置３に専用のアプリケーションをインストールして実現するような構成としてもよいし、ウェブブラウザプログラムによって広告依頼管理サーバ装置１へとアクセスして実現するように、より一般的なアプリケーションによって実現するような構成としてもよい。
【００２９】
ユーザ端末装置４としても、広告依頼者端末装置３と同様、パーソナルコンピュータ装置やタブレット型端末、スマートフォンなどのようなコンピュータ装置を用いることができる。また、後述するようなユーザの操作によるユーザ端末装置４を用いた各種の処理についても、広告依頼者端末装置３と同様、専用のアプリケーションを用いて実現するような構成としてもよいし、ウェブブラウザプログラムのような一般的なアプリケーションによって実現するような構成としてもよい。特に、ユーザ端末装置４については、広告依頼管理サーバ装置１からの広告依頼の開示を受ける手段などを行うためのアプリケーションと、ＳＮＳ提供サーバ装置２によって管理されるＳＮＳへの投稿などを行うアプリケーションを別途設けるなど、複数のアプリケーションが連携することによって、本実施形態に係るユーザ端末装置４としての機能を実現するような構成としてよい。
【００３０】
＜広告依頼の受付＞
図３は、広告依頼受付手段１０１により、広告依頼者端末装置３を利用する広告依頼者からの広告依頼の受付処理の流れを示すフローチャートである。まず、ステップＳ１０１において、広告依頼の見出しや内容に関するコメント、広告依頼を行う期間などの入力を受け付ける。ここで、更に広告に関連した画像やＷｅｂサイトのＵＲＬなどの入力を受け付けるような構成としてもよい。また、広告が店舗や施設など、特定の場所に関連したようなものである場合には、位置情報の指定を受け付ける構成や、広告依頼をユーザが検索しやすくするためのタグの設定を受け付ける構成など、更なる付加情報の設定を受け付けるような構成としてもよい。
【００３１】
続くステップＳ１０２においては、広告依頼に応じたＳＮＳ投稿を行ったユーザに対する報酬に関する設定を受け付ける。これは、ＳＮＳ投稿に含める識別情報や、画像、キーワード等に関する指示、それぞれのＳＮＳ提供サーバ装置２によって提供される複数のＳＮＳの内のどのＳＮＳに対する投稿に対して報酬を設定するか、といった情報などが含まれる。また、報酬の付与対象とするユーザ数に制限を設ける場合には、その数量の入力を受け付ける。なお、ここでの識別情報としては、例えば、ハッシュタグを用いることができる。ハッシュタグとは、「＃」の記号の後に任意の文字列を続けることによって、ＳＮＳ投稿の検索用のタグをＳＮＳ投稿に含めるために用いられるものである。キーワードについては、具体的な語句の指定を受け付けるような構成であってもよいし、それに代えて、あるいはそれに加えて、「商品のレビュー」といったように、内容のみの指定が可能な構成としてもよい。
【００３２】
また、ここで、ＳＮＳ投稿に含める画像データの指定がある場合、部分画像情報としてその入力を受け付ける。これは例えば、ユーザが撮影した写真の外縁部に広告依頼者が指定したフレームを表示させたい場合や、写真の一部にバナー画像のような画像を貼り付けさせたい場合などに設定されるものである。
【００３３】
続くステップＳ１０３においては、ユーザに対する特別報酬の設定を受け付ける。これは、ステップＳ１０２で設定した報酬とは異なる条件によってユーザに付与される特別報酬に関する設定である。例えば、Ｔｗｉｔｔｅｒでいうところの「リツイート」のように、多くのＳＮＳには、他のユーザの投稿の内容の全部又は一部を引用した、引用投稿機能や、「いいね」ボタンのように、他のユーザの投稿に対して好意的な意思表示を行うような機能が備わっている。ここでは例えば、他のユーザによって所定回数以上の引用投稿が行われたユーザや、他のユーザより所定数以上の「いいね」ボタンが押された投稿を行ったユーザに対して特別報酬が付与される、といった設定を受け付けるものである。なお、特別報酬の設定を行わない場合には、ステップＳ１０３における設定受付をスキップすることができるような構成としてよい。
【００３４】
すべての設定の受け付けが完了した後、ステップＳ１０４において、広告依頼情報記憶部１０５への広告依頼の登録を行い、処理は終了する。なお、ここで示した処理はあくまで一例であって、報酬の付与条件など、必要な情報の設定を受け付けるものであれば、必ずしもここで示したような順番で設定を受け付ける必要はなく、また、表形式のファイルなどによって一括設定を受けるなど、任意の方法で広告依頼の受け付けを行うような構成としてよい。
【００３５】
また、後述するように二次元コード等の読み込みによって広告依頼の開示を行う場合には、広告依頼に対応付ける二次元コード等の設定を受け付ける。更に、二次元コード等の読み込みによってのみ広告依頼を開示するように設定し、広告依頼の一覧には表示されないような設定を可能としてもよい。
【００３６】
＜ＳＮＳ投稿による広告＞
図４は、ユーザ端末装置４により、広告依頼に対するＳＮＳ投稿を行う際の処理の流れを示すフローチャートである。まず、ステップＳ２０１において、広告依頼の選択方法の指定を受け付ける。ここでは、例として、広告依頼の一覧を表示し、その中からの選択を受け付ける場合と、二次元コード等の読み込みによって広告依頼の指定を受ける場合の２通りの処理を示す。
【００３７】
一覧からの選択を行う場合には、ステップＳ２０２に進み、広告依頼の一覧を表示する。これは、広告依頼情報記憶部１０５に記録される広告依頼情報が広告依頼開示手段１０２によってユーザ端末装置４に提供され、一覧として表示されるものである。図７に、ユーザ端末装置４における広告依頼の一覧表示画面の一例を示す。ここでは、広告依頼に設定された見出しや画像、期間、報酬に関する情報といったように、広告依頼に対する情報の一部が一覧として表示されるものである。ステップＳ２０３では、このような一覧に対するユーザ端末装置４の操作により、広告依頼の指定を受け付ける。
【００３８】
ステップＳ２０１で二次元コード等を利用した選択方法が指定された場合には、ステップＳ２０４へと進み、ユーザ端末装置４の備えるカメラが起動される。そして、ステップＳ２０５でユーザによって対象とする二次元コード等が撮影されたことを確認すると、ステップＳ２０６へと進み、それに対応する広告依頼が広告依頼開示手段１０２よりユーザ端末装置４へと提供される。
【００３９】
なお、ここでの撮影対象としては、例えばＱＲコード（登録商標）のような二次元コードや、看板や本の表紙のような所定のオブジェクトを認識するような設定とすればよい。これにより、例えば、商品のタグに二次元コードを印刷しておき、実際に商品を購入したユーザからのＳＮＳ投稿による広告を依頼する、店舗内での二次元コードの掲示やオブジェクトの指定によって実際に来店したユーザからのＳＮＳ投稿による広告を依頼する、といったような形での広告依頼を行うことができる。このように、実際の商品を所有しているユーザや、店舗に来店したユーザによるＳＮＳ投稿は、より高い広告効果を期待することができる。
【００４０】
上述したような方法などで広告依頼の指定を受け付けた後には、ステップＳ２０７へと進み、広告依頼の詳細を表示する。図８に、ユーザ端末装置４による広告依頼の詳細表示画面の一例を示す。ここでは、図８（ａ）に示すような、広告依頼の画像や見出し、期間、報酬に関する情報、依頼の詳細な内容といった情報や、図８（ｂ）に示すような、依頼に対するタグ設定、報酬や特別報酬に関するより詳細な情報などが表示される。
【００４１】
続くステップＳ２０８で、図８に示したような広告依頼の詳細表示に対して、ユーザからの指示の入力を受け付ける。ここで、広告依頼に対してＳＮＳ投稿を行うための操作が入力された場合には、ステップＳ２０９へと進み、ＳＮＳ投稿処理が行われる。
【００４２】
図５に、ユーザ端末装置４によるＳＮＳ投稿に係る処理の流れを示す。まず、ステップＳ３０１においてユーザ端末装置４の備えるカメラが起動され、ステップＳ３０２で、ユーザに対してＳＮＳ投稿へと添付する写真の撮影が促される。図９（ａ）に、写真の撮影画面の一例を示す。広告依頼に先に述べたような部分画像情報の指定が含まれている場合には、それを含むフレームなどが表示されることが好ましい。また、ここで、写真撮影に代えてユーザ端末装置４に保存されている画像情報を参照できるような構成としてもよい。
【００４３】
写真の撮影（あるいはユーザ端末装置４に保存されている画像情報の選択）が行われた後にはステップＳ３０３へと進み、画像編集処理を行う。図９（ｂ）に、画像編集画面の一例を示す。ここでは、ユーザの指示に基づいて、画像の回転やトリミング、色調やコントラストなどの調整、種々のフィルタリングなどが可能な構成とすることが好ましい。また、ユーザの操作によって、あるいは、広告依頼に対する事前の指定などによって、画像の編集処理をスキップするような構成としてもよい。
【００４４】
続くステップＳ３０４では、投稿先とするＳＮＳの選択を受け付ける。これは例えば、図９（ｃ）に示すような画面によって、ＳＮＳの選択を受け付けるような構成とすればよい。なお、広告依頼において、報酬の付与対象とならないＳＮＳがある場合には、選択不可能な表示、あるいは非表示とすることが好ましい。
【００４５】
ステップＳ３０４においてＳＮＳの指定を受けた後には、ステップＳ３０５でＳＮＳへの投稿を行う画面を表示し、ステップＳ３０６で、投稿内容の入力を受け付ける。ここでは、図１０に一例を示すように、ステップＳ３０３までの処理によって用意された画像の添付と、広告依頼によって指定されるハッシュタグなどの識別情報が含まれる状態で投稿画面が表示され、ユーザのメッセージなどの入力を受け付けるような構成とすることが好ましい。また、ここで、広告依頼に設定されたキーワード等を投稿内容に含めることを促すような文章などを表示してもよい。
【００４６】
投稿内容の入力を受けた後、ステップＳ３０７においてユーザの指示に基づいたＳＮＳ投稿が行われ、ＳＮＳ投稿処理は終了する。なお、ステップＳ３０５からＳ３０７までの各処理について、各ＳＮＳの閲覧や投稿などを行うための専用のアプリケーションプログラムによって行うような構成としてもよい。
【００４７】
以上のようにして、ステップＳ２０９におけるＳＮＳ投稿処理が完了すると、ステップＳ２１０へと進み、ユーザが広告依頼に対応したことをユーザ情報記憶部１０６へと記録し、処理は終了する。
【００４８】
なお、ステップＳ２０８において、ＳＮＳ投稿でなくＭｙ案件への追加処理が指示された場合には、ステップＳ２１１において、その処理を行う。ここでのＭｙ案件とは、各ユーザによる広告依頼のブックマークにあたるような処理であり、ユーザの操作に基づいて、Ｍｙ案件の一覧を図７に示したような画面などによってユーザ端末装置４に表示し、その中から広告依頼の指定を受け付けて、ステップＳ２０７からＳ２０９に示したような詳細表示、ＳＮＳ投稿の処理を行えるものである。
【００４９】
＜広告実績の確認＞
図６に、広告実績確認手段１０３による、各ユーザの広告実績の確認処理の流れを示す。なお、これは、広告依頼管理サーバ装置１によって定期的に実行されるような構成であってもよいし、広告依頼管理サーバ装置１の管理者の操作や、ユーザによるユーザ端末装置４の操作があった時点などの任意のタイミングで実行されるような構成であってもよい。
【００５０】
まず、ステップＳ４０１で、広告実績の確認対象とするユーザのＳＮＳ投稿の収集を行う。これは、ユーザ情報記憶部１０６を参照して、当該ユーザがＳＮＳにおいて利用するアカウント名などの情報を取得し、それに基づいてＳＮＳ提供サーバ装置２よりＳＮＳ投稿を収集することによって行われる。
【００５１】
そして、ステップＳ４０２で、広告実績の確認対象とするユーザの対応した広告依頼の内、最初に処理対象とする広告依頼の選択を行う。これは、ユーザ情報記憶部１０６に記録された、ユーザの広告依頼への対応の記録を参照し、その中から任意の広告依頼を選択すればよい。なお、ここでは、ユーザの対応した広告依頼を順次選択するような例を示すが、報酬の付与対象期間中である広告依頼のみを対象とする構成、ユーザや広告依頼管理サーバ装置１の管理者の操作によって１又は複数の広告依頼のみを処理対象とするような構成など、一部の広告依頼のみを対象として広告実績の確認を行うことができるような構成としてもよい。
【００５２】
続くステップＳ４０３で、識別情報確認手段１０３１により、選択した広告依頼に設定されている識別情報、すなわち、ハッシュタグなどを含むＳＮＳ投稿を、ステップＳ４０１で取得した当該ユーザのＳＮＳ投稿の中から抽出する。ここでは、選択した広告依頼に対して報酬の付与対象として設定されたＳＮＳを管理するＳＮＳ提供サーバ装置２から取得したＳＮＳ投稿のみを処理対象とするような構成とすればよい。また、広告依頼に設定された対象期間におけるＳＮＳ投稿のみを抽出するような構成とすることが好ましい。そして、ステップＳ４０４からは、抽出した投稿について、処理を行う。
【００５３】
続くステップＳ４０４では、広告依頼に設定されたキーワードがＳＮＳ投稿に含まれるか否かの確認を行う。ここで、広告依頼に具体的な語句が指定されている場合にはそれが投稿内容に含まれるかの確認を行えばよい。また、「商品のレビュー」といったような投稿内容の指定が行われている場合には、投稿内容の解析を行い、広告依頼に設定された要件を満たすか否かの確認を行えばよい。そして、ステップＳ４０５で、ステップＳ４０４における確認処理の結果に基づいて、ＳＮＳ投稿にキーワードが含まれるか否かの判定を行い、キーワードが含まれないと判定された場合には、報酬の付与対象としての条件を満たさないものと判定し、ステップＳ４１０へと進むが、キーワードが含まれると判定された場合には、ステップＳ４０６へと進む。
【００５４】
ステップＳ４０６では、当該ＳＮＳ投稿に画像が添付されているか否かの確認処理を行う。ここで画像が添付されていない場合には、報酬の付与対象としての条件を満たさないものと判定し、ステップＳ４１０へと進むが、画像が添付されている場合には、ステップＳ４０７へと進み、投稿画像確認手段１０３２による画像の判定処理を行う。
【００５５】
ステップＳ４０７における処理では、ＳＮＳ投稿に添付された画像が、報酬付与の条件として広告依頼者によって設定された画像の条件を満たすか否かの確認が行われる。より具体的には、例えば、一定数については、ＳＮＳ投稿に添付された画像が報酬付与の条件を満たすものであるか、広告依頼管理サーバ装置１の管理者や広告依頼者などが目視によって確認した結果を入力し、それを基にした機械学習を実施、その後の処理においては、その機械学習結果を利用して自動判定を行う、といったように、人工知能を利用した処理が挙げられる。
【００５６】
また、同一の広告依頼に対する多数のＳＮＳ投稿に添付された画像を収集した場合、その中の多数の画像が報酬の付与条件を満たすものであると推測される。そのため、収集した画像群について、色の分布などのパラメータの解析を行い、他の画像と大きく異なるパラメータを有する画像が少数含まれるような状況であれば、そのような画像は報酬の付与条件を満たさないものである可能性が高いと判定することができる。
【００５７】
なお、報酬の付与条件として、フレームなどの部分画像情報を含むことが指定されている場合には、当該部分画像がＳＮＳ投稿の添付画像の一部として含まれるか否かの判定を行うことにより、高精度な判定が期待できる。
【００５８】
ステップＳ４０７における画像判定では、上述したような画像が報酬付与の条件を満たすかという判定に加えて、不正なものでないかの確認処理を行うことが好ましい。ここでの不正な画像とは、例えば、他のユーザがＳＮＳ投稿などに添付した画像の流用や、特定の商品や施設などの撮影対象を指定されている場合において、撮影対象が表示された液晶画面や印刷物などを撮影した画像が挙げられる。
【００５９】
他のユーザの画像の流用に関しては、判定を行った画像を蓄積しておき、過去に判定を行った画像との一致度を判定して、所定以上の一致度を有する画像が存在する場合には、他のユーザの画像を流用したものである、と判定することができる。
【００６０】
また、液晶画面や印刷物を撮影した場合、画像には特有のモアレ（干渉縞）が発生する。これを検出することによって、商品や施設などの撮影対象を実際に撮影したものではなく、液晶画面や印刷物を撮影したものであると判定することができる。
【００６１】
以上のような処理によって画像の判定処理を行った後、画像が広告依頼によって指定された報酬の付与条件を満たすものであると判定された場合には、ステップＳ４０８からステップＳ４０９へと進み、当該ＳＮＳ投稿を行ったユーザに対して報酬の付与を行う。これはユーザへの報酬付与をユーザ情報記憶部１０６へと記録する、といった処理によって行うことができる。
【００６２】
ステップＳ４０９におけるユーザへの報酬の付与処理の後にはステップＳ４１０へと進み、広告実績の確認対象とするユーザが対応したすべての広告依頼についての処理が完了したか否かの判定を行う。ここで、まだ処理していない広告依頼があると判定された場合には、ステップＳ４０２に戻り、次の広告依頼の選択を行い、ステップＳ４０９までの処理を再度行う。
【００６３】
そして、ステップＳ４１０においてすべての広告依頼についての処理が完了したと判定されるまでステップＳ４０１からステップＳ４０９までの処理をくり返し、ステップＳ４１０で処理対象とするすべての広告依頼についての処理が完了したと判定された場合に、処理は終了する。
【００６４】
以上の処理により、各ユーザの対応した広告依頼について、広告依頼に設定されたハッシュタグなどの識別情報の付与と、報酬の付与対象として設定された画像が添付され、広告依頼者によって指定されたキーワード等を含むＳＮＳ投稿を確認し、当該ＳＮＳ投稿を行ったユーザへの報酬の付与を行うことができる。
【００６５】
なお、ここで示した広告実績の確認は一例に過ぎず、本発明はこれに限定されるものではない。これとは内容や順序が異なる処理により、ユーザによるＳＮＳ投稿の内、広告依頼に設定された識別情報と画像情報、キーワード等を含むＳＮＳ投稿の、広告実績としての確認を実施するような形態であってもよい。ここでは各ユーザについての広告実績の確認処理を行う例を示したが、広告依頼者による広告依頼者端末装置３の操作に基づいて、各広告依頼者の行った広告依頼について、広告実績の確認を行うような処理としてもよい。
【００６６】
また、広告依頼に特別報酬に関する設定がなされている場合には、広告依頼に設定された報酬の付与条件を満たすＳＮＳ投稿について、他のユーザによる引用投稿や「いいね」の付与数などをＳＮＳ提供サーバ装置２より取得し、特別報酬の付与条件を満たすか否かの判定を行えばよい。このような特別報酬に関する実績の確認処理は、図６を参照して説明した広告実績の確認処理中に、各ＳＮＳ投稿が特別報酬の付与条件を満たすか否かの判定を行う処理を追加することで行ってもよいし、あるいは、別個の処理として行うような構成としてもよい。
【００６７】
なお、各ユーザに付与された報酬や特別報酬については、現金や、商品の購入時にディスカウントを受けられるクーポンなど、任意の内容であってよい。これらのような報酬内容は、広告依頼者からの指定に基づいて予め設定されているものであってもよいし、１又は複数の広告依頼への対応によって獲得した報酬を、ユーザが希望する形態で受け取れるような構成としてもよい。
【００６８】
本発明によれば、以上に示したような構成、処理によって、広告依頼者からの依頼内容の設定とユーザへの開示、依頼に対するユーザからのＳＮＳ投稿の受け付け、報酬の付与条件を満たすＳＮＳ投稿に基づいたユーザへの報酬の付与などを行うことにより、広告依頼者による詳細な広告依頼、ユーザによる自由な広告依頼の選択を促進し、ＳＮＳを利用した効果的な広告を行うことができる。
【符号の説明】
【００６９】
１  広告依頼管理サーバ装置
１０１  広告依頼受付手段
１０２  広告依頼開示手段
１０３  広告実績確認手段
１０３１  識別情報確認手段
１０３２  投稿画像確認手段
１０３３  キーワード確認手段
１０４  報酬付与手段
１０５  広告依頼情報記憶部
１０６  ユーザ情報記憶部
２  ＳＮＳ提供サーバ装置
３  広告依頼者端末装置
４  ユーザ端末装置
ＮＷ  ネットワーク
【図１】
2018195026.tif 000003
【図２】
2018195026.tif 000004
【図３】
2018195026.tif 000005
【図４】
2018195026.tif 000006
【図５】
2018195026.tif 000007
【図６】
2018195026.tif 000008
【図７】
2018195026.tif 000009
【図８】
2018195026.tif 000010
【図９】
2018195026.tif 000011
【図１０】
2018195026.tif 000012
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
広告依頼管理サーバ装置と、１又は複数の広告依頼者端末装置と、ユーザの利用する１又は複数のユーザ端末装置と、がネットワークを介して通信可能に構成される広告システムであって、
前記広告依頼管理サーバ装置が、前記広告依頼者端末装置からの広告依頼を受け付ける広告依頼受付手段と、
前記広告依頼を前記ユーザ端末装置へと開示する広告依頼開示手段と、
前記広告依頼に基づいた前記ユーザ端末装置によるＳＮＳ投稿を収集し、広告実績として確認する広告実績確認手段と、
前記広告実績に基づいて、前記ユーザに対して報酬を付与する報酬付与手段と、を備え、
前記広告依頼が、前記ＳＮＳ投稿に含める前記ユーザによって撮影された写真及び前記写真に合成する部分画像情報の指定を含み、
前記広告実績確認手段が、前記ＳＮＳ投稿に前記部分画像情報の合成された前記写真が含まれるか否かの確認を行う投稿画像確認手段を有し、
前記報酬付与手段が、前記ＳＮＳ投稿に前記部分画像情報の合成された前記写真が含まれる場合に前記ユーザに対して前記報酬を付与し、
前記投稿画像確認手段が、複数の前記ユーザによる前記ＳＮＳ投稿に含まれる前記写真の一致度の判定を行い、所定以上の一致度を有する前記写真が含まれる前記ＳＮＳ投稿について、前記広告実績としないことを特徴とする、広告システム。
【請求項２】
前記広告依頼が、前記ＳＮＳ投稿に含める識別情報の指定を含み、
前記広告実績確認手段が、前記ＳＮＳ投稿に前記識別情報が含まれるか否かの確認を行う識別情報確認手段を有し、前記識別情報が含まれる投稿を前記広告実績として確認することを特徴とする、請求項１に記載の広告システム。
【請求項３】
前記広告依頼が、前記ＳＮＳ投稿に含める語句及び／又は文章の指定を含み、
前記広告実績確認手段が、前記ＳＮＳ投稿に前記語句及び／又は前記文章が含まれるか否かの確認を行うキーワード確認手段を有し、
前記報酬付与手段が、前記ＳＮＳ投稿に前記語句及び／又は前記文章が含まれる場合に前記ユーザに対して前記報酬を付与することを特徴とする、請求項１又は請求項２に記載の広告システム。
【請求項４】
前記投稿画像確認手段が、機械学習に基づいて、前記ＳＮＳ投稿に含まれる前記写真が、前記広告依頼に含まれる前記写真の指定に対応するものであるか否かの判定を行うことを特徴とする、請求項１から請求項３の何れかに記載の広告システム。
【請求項５】
前記投稿画像確認手段が、前記ＳＮＳ投稿に含まれる前記写真にモアレが含まれるか否かの判定を行い、モアレが含まれる前記写真が含まれる前記ＳＮＳ投稿について、前記広告実績としないことを特徴とする、請求項１から請求項４の何れかに記載の広告システム。
【請求項６】
前記広告依頼が、当該広告依頼を特定するためのマーカ情報を含み、
前記ユーザ端末装置により前記マーカ情報が撮影された場合に、前記広告依頼開示手段による前記ユーザ端末装置への前記広告依頼の開示が行われることを特徴とする、請求項１から請求項５の何れかに記載の広告システム。
【請求項７】
１又は複数の広告依頼者端末装置及びユーザの利用する１又は複数のユーザ端末装置とネットワークを介して通信可能に構成される広告依頼管理サーバ装置であって、
前記広告依頼者端末装置からの広告依頼を受け付ける広告依頼受付手段と、
前記広告依頼を前記ユーザ端末装置へと開示する広告依頼開示手段と、
前記広告依頼に基づいた前記ユーザ端末装置によるＳＮＳ投稿を収集し、広告実績として確認する広告実績確認手段と、
前記広告実績に基づいて、前記ユーザに対して報酬を付与する報酬付与手段と、を備え、
前記広告依頼が、前記ＳＮＳ投稿に含める前記ユーザによって撮影された写真及び前記写真に合成する部分画像情報の指定を含み、
前記広告実績確認手段が、前記ＳＮＳ投稿に前記部分画像情報の合成された前記写真が含まれるか否かの確認を行う投稿画像確認手段を有し、
前記報酬付与手段が、前記ＳＮＳ投稿に前記部分画像情報の合成された前記写真が含まれる場合に前記ユーザに対して前記報酬を付与し、
前記投稿画像確認手段が、複数の前記ユーザによる前記ＳＮＳ投稿に含まれる前記写真の一致度の判定を行い、所定以上の一致度を有する前記写真が含まれる前記ＳＮＳ投稿について、前記広告実績としないことを特徴とする、広告依頼管理サーバ装置。
【請求項８】
１又は複数の広告依頼者端末装置及びユーザの利用する１又は複数のユーザ端末装置とネットワークを介して通信可能に構成される広告依頼管理サーバ装置による広告方法であって、
前記広告依頼者端末装置からのＳＮＳ投稿に含める前記ユーザによって撮影された写真及び前記写真に合成する部分画像情報の指定を含む広告依頼を受け付ける広告依頼受付ステップと、
前記広告依頼を前記ユーザ端末装置へと開示する広告依頼開示ステップと、
前記広告依頼に基づいた前記ユーザ端末装置によるＳＮＳ投稿を収集し、広告実績として確認する広告実績確認ステップと、
前記広告実績に基づいて、前記ユーザに対して報酬を付与する報酬付与ステップと、を備え、
前記広告実績確認ステップが、前記ＳＮＳ投稿に前記部分画像情報の合成された前記写真が含まれるか否かの確認を行う投稿画像確認ステップを含み、
前記報酬付与ステップにおいて、前記ＳＮＳ投稿に前記部分画像情報の合成された前記写真が含まれる場合に前記ユーザに対して前記報酬を付与し、
前記投稿画像確認ステップにおいて、複数の前記ユーザによる前記ＳＮＳ投稿に含まれる前記写真の一致度の判定を行い、所定以上の一致度を有する前記写真が含まれる前記ＳＮＳ投稿について、前記広告実績としないことを特徴とする、広告方法。
【手続補正２】
【補正対象書類名】明細書
【補正対象項目名】００１３
【補正方法】変更
【補正の内容】
【００１３】
本発明の好ましい形態では、前記広告依頼が、前記ＳＮＳ投稿に含める前記ユーザによって撮影された写真の指定を含み、
前記広告実績確認手段が、前記ＳＮＳ投稿に前記写真が含まれるか否かの確認を行う投稿画像確認手段を有し、
前記報酬付与手段が、前記ＳＮＳ投稿に前記写真が含まれる場合に前記ユーザに対して前記報酬を付与することを特徴とする。
このように、広告依頼にユーザによって撮影された写真を含めることにより、ＳＮＳ投稿による広告効果の向上が期待できる。
【手続補正３】
【補正対象書類名】明細書
【補正対象項目名】００１４
【補正方法】変更
【補正の内容】
【００１４】
本発明の好ましい形態では、前記投稿画像確認手段が、機械学習に基づいて、前記ＳＮＳ投稿に含まれる前記写真が、前記広告依頼に含まれる前記写真の指定に対応するものであるか否かの判定を行うことを特徴とする。
このように、機械学習に基づいて写真の判定を行うことにより、広告依頼者の指定した写真がＳＮＳ投稿に含まれるかを効率的に判定することができる。
【手続補正４】
【補正対象書類名】明細書
【補正対象項目名】００１５
【補正方法】変更
【補正の内容】
【００１５】
本発明の好ましい形態では、前記投稿画像確認手段が、複数のユーザによる前記ＳＮＳ投稿に含まれる前記写真の一致度の判定を行い、所定以上の一致度を有する前記写真が含まれる前記ＳＮＳ投稿について、前記広告実績としないことを特徴とする。
このように、写真の一致度の判定を行うことで、他のユーザがＳＮＳに投降した写真を流用した不正なＳＮＳ投稿を判別することができる。
【手続補正５】
【補正対象書類名】明細書
【補正対象項目名】００１６
【補正方法】変更
【補正の内容】
【００１６】
本発明の好ましい形態では、前記投稿画像確認手段が、前記ＳＮＳ投稿に含まれる前記写真にモアレが含まれるか否かの判定を行い、モアレが含まれる前記写真が含まれる前記ＳＮＳ投稿について、前記広告実績としないことを特徴とする。
このように、写真にモアレが含まれるか否かの確認を行うことにより、液晶画面に表示された内容や印刷物の内容などを撮影した写真を用いた不正なＳＮＳ投稿を判別することができる。
【手続補正６】
【補正対象書類名】明細書
【補正対象項目名】００１７
【補正方法】変更
【補正の内容】
【００１７】
本発明の好ましい形態では、前記広告依頼に、前記写真に合成する部分画像情報を含み、
前記投稿画像確認手段が、前記ＳＮＳ投稿に前記部分画像情報の合成された前記写真が含まれるか否かの確認を行うことを特徴とする。
このように、ＳＮＳ投稿に含める画像のパーツの指定を受けることで、広告実績の確認や広告効果をより確実にすることができる。
【手続補正７】
【補正対象書類名】明細書
【補正対象項目名】００１９
【補正方法】変更
【補正の内容】
【００１９】
本発明に係る広告依頼管理サーバ装置は、
１又は複数の広告依頼者端末装置及びユーザの利用する１又は複数のユーザ端末装置とネットワークを介して通信可能に構成される広告依頼管理サーバ装置であって、
前記広告依頼者端末装置からの広告依頼を受け付ける広告依頼受付手段と、
前記広告依頼を前記ユーザ端末装置へと開示する広告依頼開示手段と、
前記広告依頼に基づいた前記ユーザ端末装置によるＳＮＳ投稿を収集し、広告実績として確認する広告実績確認手段と、
前記広告実績に基づいて、前記ユーザに対して報酬を付与する報酬付与手段と、を備え、
前記広告依頼が、前記ＳＮＳ投稿に含める前記ユーザによって撮影された写真及び前記写真に合成する部分画像情報の指定を含み、
前記広告実績確認手段が、前記ＳＮＳ投稿に前記部分画像情報の合成された前記写真が含まれるか否かの確認を行う投稿画像確認手段を有し、
前記報酬付与手段が、前記ＳＮＳ投稿に前記部分画像情報の合成された前記写真が含まれる場合に前記ユーザに対して前記報酬を付与し、
前記投稿画像確認手段が、複数の前記ユーザによる前記ＳＮＳ投稿に含まれる前記写真の一致度の判定を行い、所定以上の一致度を有する前記写真が含まれる前記ＳＮＳ投稿について、前記広告実績としないことを特徴とする。
【手続補正８】
【補正対象書類名】明細書
【補正対象項目名】００２０
【補正方法】変更
【補正の内容】
【００２０】
本発明に係る広告方法は、
１又は複数の広告依頼者端末装置及びユーザの利用する１又は複数のユーザ端末装置とネットワークを介して通信可能に構成される広告依頼管理サーバ装置による広告方法であって、
前記広告依頼者端末装置からのＳＮＳ投稿に含める前記ユーザによって撮影された写真及び前記写真に合成する部分画像情報の指定を含む広告依頼を受け付ける広告依頼受付ステップと、
前記広告依頼を前記ユーザ端末装置へと開示する広告依頼開示ステップと、
前記広告依頼に基づいた前記ユーザ端末装置によるＳＮＳ投稿を収集し、広告実績として確認する広告実績確認ステップと、
前記広告実績に基づいて、前記ユーザに対して報酬を付与する報酬付与ステップと、を備え、
前記広告実績確認ステップが、前記ＳＮＳ投稿に前記部分画像情報の合成された前記写真が含まれるか否かの確認を行う投稿画像確認ステップを含み、
前記報酬付与ステップにおいて、前記ＳＮＳ投稿に前記部分画像情報の合成された前記写真が含まれる場合に前記ユーザに対して前記報酬を付与し、
前記投稿画像確認ステップにおいて、複数の前記ユーザによる前記ＳＮＳ投稿に含まれる前記写真の一致度の判定を行い、所定以上の一致度を有する前記写真が含まれる前記ＳＮＳ投稿について、前記広告実績としないことを特徴とする。